(57)【要約】【課題】外観の意匠性を向上させることのできる建物を提供すること。【解決手段】外壁（１０，１０ａ）と、外壁（１０，１０ａ）よりも前方に張り出す出窓と（２）を備える建物（１）である。建物（１）は、出窓（２）の上または下に位置する凹み空間（５１，５２）に太陽光パネル（３）が設置されている。太陽光パネル（３）は、外壁（１０，１０ａ）から前方に離れて配置されており、太陽光パネル（３）と外壁（１０，１０ａ）との間には、太陽光パネル（３）の下方側から流入した空気が太陽光パネル（３）の上方側から通り抜けるように構成された通気路（９０）を有する。【選択図】図２
2018048499.tif 000002
【特許請求の範囲】
【請求項１】
外壁と、前記外壁よりも前方に張り出す出窓とを備える建物であって、
前記出窓の上または下に位置する凹み空間に太陽光パネルが設置されていることを特徴とする、建物。
【請求項２】
前記太陽光パネルは、前記外壁から前方に離れて配置されており、
前記太陽光パネルと前記外壁との間には、前記太陽光パネルの下方側から流入した空気が前記太陽光パネルの上方側から通り抜けるように構成された通気路を有する、請求項１に記載の建物。
【請求項３】
前記太陽光パネルは、少なくとも前記出窓の下の凹み空間内に設置され、
前記出窓の下面部には、前記通気路を上昇した空気を前記出窓の裏面側に位置する出窓空間に取り入れる第１貫通孔が設けられており、
前記出窓の上面部には、前記出窓空間に取り入れた空気を排出するための第２貫通孔が設けられる、請求項２に記載の建物。
【請求項４】
前記出窓空間と室内空間との境界位置には、前記第１貫通孔を通過した空気が室内側へ漏出することを防止し、前記出窓空間の気密性を保持するための気密保持部材が設けられている、請求項３に記載の建物。
【請求項５】
前記太陽光パネルは、少なくとも前記出窓の下の凹み空間内に配置され、
前記太陽光パネルの上端と前記出窓の下面部との間には、前記通気路を上昇する空気を排出するための隙間を有する、請求項２に記載の建物。
【請求項６】
前記太陽光パネルは、前記出窓の上に位置する前記凹み空間および前記出窓の下に位置する前記凹み空間の双方に配置されており、
前記出窓の前記上面部と前記太陽光パネルの下端との間には、空気を前記通気路に取り入れるための隙間を有する、請求項５に記載の建物。
【請求項７】
前記出窓の表面部の少なくとも一部は、シースルー太陽光パネルによって構成される、請求項１〜６のいずれかに記載の建物。
【請求項８】
前記出窓の表面と前記太陽光パネルの表面は、面一状である、請求項１〜７のいずれかに記載の建物。
【発明の詳細な説明】
【技術分野】
【０００１】
この発明は、建物に関し、特に、外壁と、外壁よりも前方に張り出す出窓とを備える建物に関する。
【背景技術】
【０００２】
従来から、外壁に太陽光パネルを設置した建物が存在する。たとえば、特許文献１には、窓を有する外壁から間隔をあけて太陽光パネルを設置し、窓と対応する位置には、窓から太陽光を取り込むために、太陽光パネルを設けずに開口が形成されることが開示されている。
【先行技術文献】
【特許文献】
【０００３】
【特許文献１】国際公開番号２０１１−１４８９６７号公報
【発明の概要】
【発明が解決しようとする課題】
【０００４】
引用文献１の建物では、窓と対応する位置に太陽光パネルが設けられていないため、太陽光パネルだけが突出している印象を与え、外観の意匠性を向上させることができない。
【０００５】
本発明は、上記のような課題を解決するためになされたものであって、その目的は、外観の意匠性を向上させることのできる建物を提供することを目的とする。
【課題を解決するための手段】
【０００６】
本発明の一態様に係る建物は、外壁と、外壁よりも前方に張り出す出窓とを備える建物であって、出窓の上または下に位置する凹み空間に太陽光パネルが設置されていることを特徴とする。
【０００７】
好ましくは、太陽光パネルは、外壁から前方に離れて配置されており、太陽光パネルと外壁との間には、太陽光パネルの下方側から流入した空気が太陽光パネルの上方側から通り抜けるように構成された通気路を有する。
【０００８】
好ましくは、太陽光パネルは、少なくとも出窓の下の凹み空間内に設置され、出窓の下面部には、通気路を上昇した空気を出窓の裏面側に位置する出窓空間に取り入れる第１貫通孔が設けられており、出窓の上面部には、出窓空間に取り入れた空気を排出するための第２貫通孔が設けられる。
【０００９】
好ましくは、出窓空間と室内空間との境界位置には、第１貫通孔を通過した空気が室内側へ漏出することを防止し、出窓空間の気密性を保持するための気密保持部材が設けられている。
【００１０】
好ましくは、太陽光パネルは、少なくとも出窓の下の凹み空間内に配置され、太陽光パネルの上端と出窓の下面部との間には、通気路を上昇する空気を排出するための隙間を有する。
【００１１】
好ましくは、太陽光パネルは、出窓の上に位置する凹み空間および出窓の下に位置する凹み空間の双方に配置されており、出窓の上面部と太陽光パネルの下端との間には、空気を通気路に取り入れるための隙間を有する。
【００１２】
好ましくは、出窓の表面部の少なくとも一部は、シースルー太陽光パネルによって構成される。
【００１３】
好ましくは、出窓の表面と太陽光パネルの表面は、略面一である。
【発明の効果】
【００１４】
本発明によれば、外観の意匠性を向上させることのできる建物を提供することができる。
【図面の簡単な説明】
【００１５】
【図１】本発明の実施の形態１に係る建物の一例を模式的に示す断面図である。
【図２】本発明の実施の形態１に係る建物が備える通気路を模式的に示す断面図である。
【図３】気密保持部材の具体例を模式的に示す断面図である。
【図４】気密保持部材の他の具体例を模式的に示す断面図である。
【図５】本発明の実施の形態１に係る建物の変形例を模式的に示す断面図である。
【図６】本発明の実施の形態２に係る建物が備える通気路を模式的に示す断面図である。
【発明を実施するための形態】
【００１６】
本発明の実施の形態について図面を参照しながら詳細に説明する。なお、図中同一または相当部分には同一符号を付してその説明は繰り返さない。
【００１７】
＜実施の形態１＞
図１，２を参照して、本実施の形態に係る建物１について説明する。本実施の形態では、図１において矢印Ａ１で示す方向を上下方向、矢印Ａ２で示す方向を屋外側の前方といい、室内側を後方という。
【００１８】
本実施の形態に係る建物１は、たとえば、複数階の建物であり、典型的にはオフィスビルである。図１には、建物１の略２階分が示されている。建物１は、外壁１０，１０ａと、外壁１０，１０ａよりも前方に張り出す出窓２，２ａとを備える。外壁１０ａおよび出窓２ａは、それぞれ外壁１０および出窓２よりも上に位置する。出窓は、建物１の各階に設けられる。出窓２は、室内空間１３が位置する階に設けられ、出窓２ａは、室内空間１３ａが位置する階に設けられる。外壁１０は、出窓２の下に位置し、外壁１０ａは、出窓２の上、かつ、出窓２ａの下に位置する。出窓２の下には、第１凹み空間５１が形成される。出窓２の上、かつ、出窓２ａの下には、第２凹み空間５２が形成される。
【００１９】
図２を特に参照して、出窓２は、透光性を含む表面部２０と、外壁１０の上端と表面部２０の下端との間に設けられる下面部２３と、外壁１０ａの下端と表面部２０の上端との間に設けられる上面部２５とを含む。なお、外壁１０からの出窓２（表面部２０）の張出し寸法は、たとえば、１００ｍｍ以上であることが望ましい。
【００２０】
表面部２０は、たとえば、第１窓２１と第１窓２１の上方に設けられる第２窓２２とを有する。第１窓２１は、典型的には腰高窓であり、開閉することができないＦＩＸ窓とするが、開閉可能な窓を用いてもよい。第２窓２２は、開閉可能な窓であり、突き出し窓や内倒し窓などを用いることができる。
【００２１】
出窓２と室内空間１３との境界位置には、ブラインド４０が設けられている。ブラインド４０は、上方に取り付けてあり、下方に変位可能である。これにより、出窓２の裏面側には、下面部２３と上面部２５と表面部２０とブラインド４０とで区画された出窓空間２７が形成される。
【００２２】
本実施の形態では、出窓２の下に位置する第１凹み空間５１、および、出窓２の上に位置する第２凹み空間５２には、太陽光パネル３がそれぞれ設置される。具体的には、太陽光パネル３は、出窓２の下面部２３と外壁１０とで区画される第１凹み空間５１、および、出窓２の上面部２５と外壁１０ａとで区画される第２凹み空間５２に設置される。
【００２３】
太陽光パネル３は、外壁１０，１０ａから前方に離れて配置される。一般的な太陽光パネルは、太陽の南中高度が高く大量の発電量が見込まれる季節や時間帯において、高温になる。太陽光パネルを外壁に取り付けると、太陽光パネルの裏面が熱くなり、外壁も高温になることで、外壁からの熱負荷が増大するという問題があった。本実施の形態は、太陽光パネル３を外壁１０，１０ａから離して配置し、下述する通気路９０を太陽光パネル３の裏面に設けることで、太陽光パネル３の裏面からの熱により外壁１０，１０ａが高温となることを防止することができる。さらに、太陽光パネル３だけが外壁１０，１０ａから突出した印象になることを防止し、建物１の外観の意匠性を向上させることができる。外壁から間隔をあけて太陽光パネルを設置した従来の建物では、窓から太陽光パネルの裏面が見えていた。しかし、本実施の形態は、出窓２であるため、出窓空間２７から太陽光パネルの裏面が見えないため、室内空間１３からの意匠性も向上させることができる。なお、太陽光パネル３の幅方向両端部は、外壁１０，１０ａに固定された連結部材３３に取り付けられる。
【００２４】
雨が降った場合、外壁１０，１０ａの前方に太陽光パネル３が配置されていることで、外壁１０，１０ａに直接雨が当たりにくくなるため、外壁１０，１０ａの防水性能を向上させることができる。また、太陽光パネル３を外壁１０，１０ａの前方に配置することで、外壁１０，１０ａへの日射を制限し、外壁１０，１０ａに対する日射の負荷を大幅に軽減することができ、外壁１０，１０ａの性能低下を小さくすることができる。さらに、外壁１０，１０ａが露出しないため、外壁１０，１０ａの素材を安価に抑えることができる。
【００２５】
図１，２に示すように、出窓２の表面部２０と太陽光パネル３の表面とは、略面一であることが望ましい。略面一とは、完全に段差のないフラットな状態で配置される（両面が同一平面上に位置する）必要はなく、多少の段差があったとしても、視認によりフラットな状態であると確認できる程度であればよい。また、視認によりフラットな状態であると確認できれば、一方の面の延在方向（垂直方向）に対して多少傾斜していたり、部分的に突出していてもよい。これにより、出窓２の表面部２０と、太陽光パネル３の表面とが、連続性があるような印象を強調することができ、より効果的に外観の意匠性を向上させることができる。
【００２６】
上述のように、太陽光パネル３を外壁１０から前方に離して配置することにより、太陽光パネル３の裏と外壁１０との間に第１パネル裏空間６１が形成される。太陽光パネル３が日射により高温になると、第１パネル裏空間６１は高温になる。そこで、本実施の形態では、第１パネル裏空間６１に、太陽光パネル３の下方側から流入した空気が太陽光パネル３の上方側から通り抜けるように構成された通気路９０が形成されている。本実施の形態では、出窓２の下面部２３には、下述する第１貫通孔２４が設けられているため、通気路９０は、第１パネル裏空間６１の空気を第１貫通孔２４を介して出窓空間２７に排出するように構成される。このことは、第２凹み空間５２の上の出窓２ａと、第２凹み空間５２に配置された太陽光パネル３の上端においても、同様である。
【００２７】
出窓２の下面部２３には、通気路９０を上昇した空気を出窓２の裏面側に位置する出窓空間２７に取り入れる第１貫通孔２４が設けられる。出窓２の上面部２５には、出窓空間２７に取り入れた空気を排出するための第２貫通孔２６が設けられる。出窓２の上面部２５には、出窓空間２７に取り入れた空気を排出するための第２貫通孔２６が設けられるため、出窓空間２７に排気された高温の空気を第２パネル裏空間６２に排出することができる。このことは、第１凹み空間５１の下の出窓２ｂと、第１凹み空間５１に配置された太陽光パネル３の下端においても、同様である。なお、第１貫通孔２４および第２貫通孔２６には、たとえば、ガラリが取り付けてあってもよいし、開閉可能な窓が取り付けてあってもよい。
【００２８】
本実施の形態では、第１パネル裏空間６１の温まった空気は、通気路９０を上昇し、出窓２の下面部２３の第１貫通孔２４から出窓空間２７に取り入れられ、出窓２の上面部２５の第２貫通孔２６から排出され、出窓２の上方に位置する第２パネル裏空間６２へ上昇する。さらに、第２パネル裏空間６２の空気も通気路９０を上昇し、第１貫通孔２４から出窓２ａの出窓空間２７に取り入れられ、出窓２ａの上面部２５の第２貫通孔２６から排出される。つまり、温まった空気は、第１パネル裏空間６１、出窓２の出窓空間２７、第２パネル裏空間６２、出窓２ａの出窓空間２７の順に上方へ流動する。
【００２９】
これにより、パネル裏空間６１，６２の空気が日射熱により高温となった場合であっても、太陽光パネル３の裏面からの放熱により温められたパネル裏空間６１，６２内の空気を太陽光パネル３の上側から通り抜けさせることができるため、パネル裏空間６１，６２の温度上昇を抑制することができ、太陽光パネル３の裏面の放熱を促進することで、太陽光パネル３の発電効率を向上させることができる。加えて、日射で高温になる出窓２，２ａ内の空気を排出することができる。なお、本実施の形態では、貫通孔２４，２６が設けられているため、図示した隙間３４，３５は、存在しなくてもよい。
【００３０】
本実施の形態では、出窓２の表面部２０を構成する窓２１，２２は、透光性を有するガラスであるとして説明した。しかし、第１窓２１は、透光性を有するガラスに代えて、ガラス形状のシースルー太陽光パネルを用いてもよいし、透光性を有するガラス上にフィルムタイプのシースルー太陽光パネルを取り付けてもよい。
【００３１】
この場合、シースルー太陽光パネルは、裏面でも日射を吸収することができる。つまり、シースルー太陽光パネルは、第２窓２２からの日射をブラインド４０で反射させて、シースルー太陽光パネルの裏面で発電させる。日射により太陽光パネル３が高温となり、第１窓２１の裏面（出窓空間２７）が高温になったとしても、出窓通気路２８により出窓空間２７内の排熱を効率よく行うことができるため、出窓空間２７の温度上昇を防ぎ、太陽光パネル３の発電量を向上させることができる。また、ブラインド４０として、羽板の取り付け角度が下方に取り付けられるにつれ緩やかになるグラデーションブラインドを用いることで、室内空間１３への採光を効率よく行うこともできる。
【００３２】
なお、図３を参照して、建物１Ａの出窓２には、ブラインド４０に代えて、その下方端が出窓２の下面部２３に取り付けられ、下から上に向けて変位可能なロールスクリーン４０Ａを用いてもよい。ロールスクリーン４０Ａを完全に閉じることで、ロールスクリーン４０Ａは、第１貫通孔２４を通過した高温の空気が室内空間１３側へ漏出することを防止し、出窓空間２７の気密性を保持することができる気密保持部材として機能する。
【００３３】
また、上述したブラインド４０だけでは、出窓空間２７の気密性を保持することは困難である。そこで、図４に示すように、建物１Ｂの出窓２には、上述したブラインド４０に加えて、出窓空間２７と室内空間１３との境界位置において、上下方向に延びるガラス部材４２Ｂが設けられていてもよい。ガラス部材４２Ｂは、上述した気密保持部材として機能する。
【００３４】
本実施の形態では、太陽光パネル３は、垂直に設けられるとして説明したが、これに限定されない。図５は、本発明の実施の形態に係る建物１Ｃの変形例を模式的に示す断面図である。建物１Ｃの太陽光パネル３Ｃは、出窓２，２ａの間、および、出窓２，２ｂの間で、上下方向に２つ並んで設置されている。太陽の日射を効率よく取り込むことができるように、太陽光パネル３Ｃは、屋外に向かって斜め下方にやや傾斜して配置されている。出窓２の下に設けられる太陽光パネル３Ｃの上端と出窓２の下面部２３との間には、第１隙間３４Ｃが形成され、出窓２の上面部２５と太陽光パネル３Ｃの下端との間には、第２隙間３５Ｃが形成され、隣接する太陽光パネル３Ｃの間には、第３隙間３６Ｃが形成される。
【００３５】
これにより、日射を太陽光パネル３で効率的に取り込むことができつつ、外の空気を隙間３４Ｃ，３５Ｃ，３６Ｃから積極的に取り入れることができるため、パネル裏空間６１，６２の温度上昇を抑えることができ、太陽光パネル３Ｃの発電量を増加させることができる。なお、本実施の形態のように太陽光パネル３Ｃがやや傾斜していても、出窓２の表面部２０と太陽光パネル３Ｃの表面とは、略面一であるとする。この場合、太陽光パネル３Ｃの垂直面に対する傾斜角度は、たとえば、１５度以下であることが望ましい。
【００３６】
＜実施の形態２＞
図６は、本発明の実施の形態２に係る建物１Ｄが備える通気路９０Ｄを模式的に示す断面図である。図６を参照して、本実施の形態に係る建物１Ｄについて説明する。以下、実施の形態１に示した建物１，１Ａ，１Ｂ，１Ｃとの相違点のみ詳細に説明する。
【００３７】
本実施の形態に係る建物１Ｄは、上記実施の形態１で設けられていた貫通孔２４，２６が設けられていない。その代わりに、太陽光パネル３の上端と出窓２Ｄの下面部２３Ｄとの間に設けられる第１隙間３４Ｄ、および、出窓２Ｄの上面部２５Ｄと太陽光パネル３の下端との間に設けられる第２隙間３５Ｄが、上記実施の形態１の隙間３４，３５よりも大きく形成されている。
【００３８】
本実施の形態では、第１隙間３４Ｄおよび第２隙間３５Ｄが設けられているため、通気路９０Ｄは、第２隙間３５Ｄから第１パネル裏空間６１に取り入れた空気を第１隙間３４Ｄから排出するように構成される。これにより、外の空気は、第２隙間３５Ｄから第１パネル裏空間６１に取り入れられ、通気路９０Ｄを上昇し、第１隙間３４Ｄから排出される。このことは、出窓２Ｄの上に位置する第２パネル裏空間６２おいても、同様である。
【００３９】
本実施の形態は、第１パネル裏空間６１と出窓空間２７とが通気不能となっている。なお、出窓空間２７の日射で高温になった空気を排出するために、たとえば、第１窓２１Ｄの下方端、および、第２窓２２Ｄの上方端には、通気口が設けられている。これにより、外の空気は、第１窓２１Ｄの下方端に設けられた通気口から流入し、出窓空間２７を上昇して、第２窓２２Ｄの上方端に設けられた通気口から排出される。
【００４０】
隙間３４Ｄ，３５Ｄを設けることで、空気の流れを一定間隔ごとに区切ることができるため、パネル裏空間６１，６２の温度上昇を抑制することができ、結果として、太陽光パネル３の裏面の放熱を促進し、太陽光パネル３の発電効率を向上させることができる。
【００４１】
なお、太陽光パネルは、出窓２の上および下に位置する凹み空間５１，５２に設置されているとしたが、凹み空間５１，５２のいずれか一方に設置されていればよい。
【００４２】
また、上記各実施の形態において、出窓２の上面部２５は、室内空間１３の天井の高さ位置と略同一に設けたが、室内空間１３高さの中央位置に設けられていてもよい。
【００４３】
また、上記各実施の形態において、建物１は、複数階建ビルであるとして説明したが、１階建てでもよい。
【００４４】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００４５】
１，１Ａ，１Ｂ，１Ｃ，１Ｄ  建物、２，２ａ，２ｂ，２Ｄ  出窓、３，３Ｃ  太陽光パネル、１０，１０ａ  外壁、１３，１３ａ  室内空間、２０，２０Ｄ  表面部、２１，２１Ｄ  第１窓、２２，２２Ｄ  第２窓、２３，２３Ｄ  下面部、２４  第１貫通孔、２５，２５Ｄ  上面部、２６  第２貫通孔、２７  出窓空間、２８  出窓通気路、３３  連結部材、３４，３４Ｃ，３４Ｄ  第１隙間、３５，３５Ｃ，３５Ｄ  第２隙間、３６Ｃ  第３隙間、４０  ブラインド、４０Ａ  ロールスクリーン、４２Ｂ  ガラス部材、５１  第１凹み空間、５２  第２凹み空間、６１  第１パネル裏空間、６２  第２パネル裏空間、９０，９０Ｄ  通気路。
【図１】
2018048499.tif 000003
【図２】
2018048499.tif 000004
【図３】
2018048499.tif 000005
【図４】
2018048499.tif 000006
【図５】
2018048499.tif 000007
【図６】
2018048499.tif 000008